(57)【要約】【課題】被撮影者に的確な情報を確実に提供することができるようにする。【解決手段】図２（ａ）は撮影者側から見たものであり、図２（ｂ）は被撮影者側から見たものである。ビデオカメラ２７の撮影映像は、上ケース２のメイン画面５で表示され、撮影者による設定があると、この撮像映像は、また、被撮影者側のサブ画面１３でも表示される。これにより、被撮影者は、自分がどのような状態にあるのかを知ることができる。また、サブ画面１３で表示される画像は、メイン画面５の一部でも表示される。サブ画面１３では、撮影開始までのタイマ画像やアニメなどの画像も撮影者の設定によって表示させることができ、サブ画面１３で表示される画像をメイン画面５で表示させることにより、撮影者がサブ画面１３でどのような画像が表示されているかを確認することができる。【選択図】        図２
2004260433.tif 000002
【特許請求の範囲】
【請求項１】
２つのケースが折り畳み可能にヒンジ部で連結された筐体にビデオカメラが設けられたビデオカメラ付き携帯電話機において、
該筐体を構成する該ケースの一方は、その表面側に設けられたメイン画面と、その裏面側に設けられたサブ画面とを備え、
該筐体は、その動作モードを設定する動作モード設定手段を備え、
該メイン画面には、該動作モード設定手段によって撮像モードに設定された状態で、該ビデオカメラによる撮像映像が表示されるとともに、撮像メニュー画面が表示され、
該サブ画面には、該撮像メニュー画面で選択された画像が表示されることを特徴とするビデオカメラ付き携帯電話機。
【請求項２】
請求項１において、
前記撮像メニュー画面は、前記筐体が撮像モードに設定された状態で、前記サブ画面に表示する画像を設定するための所定のメニュー項目を備えていることを特徴とするビデオカメラ付き携帯電話機。
【請求項３】
請求項１または２において、
前記メニュー項目は、前記筐体が撮像モードに設定された状態で、少なくとも前記サブ画面にタイマ表示を行なうための項目を備え、
該タイマ表示は、記録開始までの経過時間表示、あるいは残り時間表示であることを特徴とするビデオカメラ付き携帯電話機。
【請求項４】
請求項２または３において、
前記メニュー項目は、前記ビデオカメラで撮像された画像を表示する項目と、アニメーションを表示する項目とを備えていることを特徴とするビデオカメラ付き携帯電話機。
【請求項５】
請求項１〜４のいずれか１つにおいて、
前記サブ画面に表示される画像は、前記メイン画面の一部に表示されることを特徴とするビデオカメラ付き携帯電話機。
【発明の詳細な説明】
【０００１】
【発明が属する技術分野】
本発明は、動画や静止画の撮影が可能なビデオカメラ付き携帯電話機に関するものである。
【０００２】
【従来の技術】
近年、携帯電話機では、ビデオカメラが設けられたものも出回っており、これで撮像した映像を記憶部に記憶し、必要なときにこれを読み出して据え付けの表示画面で見ることができるようにしている。
【０００３】
また、携帯電話機能やディジタルビデオカメラ，デジタルスチルカメラなどの機能を持たせた携帯端末も提案されている（例えば、特許文献１参照）。
【０００４】
これは、本体部とフリップ部の２つのケースを開閉軸と回転軸との２つの軸で連結し、本体部の面に対してフリップ部の向きを種々に変えることができるようにするとともに、開閉軸の部分に被写体を撮像するビデオカメラを設けたものである。本体部の表面には、各種操作キーが設けられ、フリップ部の表面には、タッチパネル付きのモニタ画面が設けられている。
【０００５】
本体部とフリップ部とを折り畳んでケースが閉じた状態から、フリップ部を開閉軸を中心として回動させて開くことにより、携帯電話機として使用することができ、かかる状態から、さらに、フリップ部をこの開閉軸に垂直な回転軸の回りに回動させ、このフリップ部を本体部の面にほぼ垂直な状態とすることにより、ディジタルビデオカメラやデジタルスチルカメラとして使用することができる。このようなカメラとして使用する場合には、ビデオカメラの撮像映像が上記のモニタ画面に表示されるが、本体部に設けられた動画・静止画切り替えスイッチの操作により、ディジタルビデオカメラとしての機能とデジタルスチルカメラとしての機能とを切り替え選択することができるし、ビデオカメラの撮像中、本体部に設けられた撮影用ボタンを操作することにより、ビデオカメラからの撮像映像を記憶部に動画として、あるいは静止画として記録する撮影が行なわれる。また、ズームボタンを操作することにより、ズーミングを行なうことができる。
【０００６】
さらに、かかる特許文献１に記載の技術では、本体部の面に対するフリップ部の向きを検出し、その検出結果に応じて携帯電話機やディジタルビデオカメラ，デジタルスチルカメラなどの機能の自動切り替えを行なうようにすることもできるとしている。従って、上記のように、本体部とフリップ部とを折り畳んでケースが閉じた状態からフリップ部を開閉軸を中心として回動させて開いた状態とすると、自動的に携帯電話機としての機能が設定され、次いで、フリップ部を回転軸の回りに回動させて本体部の面にほぼ垂直な状態とすると、自動的にディジタルビデオカメラやデジタルスチルカメラとしての機能が設定されることになる。
【０００７】
【特許文献１】
特開２００１ー１６９１６６号公報
【０００８】
【発明が解決しようとする課題】
このように、特許文献１に記載の技術では、ビデオカメラによって被写体を撮像し、これをモニタ画面に表示するとともに、撮影用ボタンの操作によってビデオカメラの撮像映像を記憶部に記録する動画や静止画の撮影もできるようにしているが、被写体が人物、即ち、被撮影者である場合には、他の種類の被写体と同様、ただ撮影されるだけである。このため、被撮影者としては、いつ撮影が始まるのか、今撮影がなされているのかどうか、いつまで撮影が続くのかなどといったことを知ることができないし、さらには、自分がどのような状態で撮影されているのかも、知ることができない。つまり、被撮影者には、一切情報が知らされず、撮影者の態度などからどのような状態にあるのかを推測せざるを得ず、あるいは撮影中に撮影者に聞いてみるようにしなければ、情報が得られないことになり、不自然な状態で撮影されることにもなる。
【０００９】
本発明の目的は、かかる問題を解消し、被撮影者に的確な情報を確実に提供することができるようにしたビデオカメラ付き携帯電話機を提供することにある。
【００１０】
【課題を解決するための手段】
上記目的を達成するためには、本発明は、２つのケースが折り畳み可能にヒンジ部で連結された筐体にビデオカメラが設けられたビデオカメラ付き携帯電話機であって、筐体を構成するケースの一方は、その表面側に設けられたメイン画面とその裏面側に設けられたサブ画面とを備え、筐体はその動作モードを設定する動作モード設定手段を備え、メイン画面には、動作モード設定手段によって撮像モードに設定された状態で、ビデオカメラによる撮像映像が表示されるとともに、撮像メニュー画面が表示され、サブ画面には、撮像メニュー画面で選択された画像が表示されるものである。
【００１１】
また、撮像メニュー画面は、筐体が撮像モードに設定された状態で、サブ画面に表示する画像を設定するための所定のメニュー項目を備えているものである。
【００１２】
さらに、メニュー項目は、筐体が撮像モードに設定された状態で、少なくともサブ画面にタイマ表示を行なうための項目を備え、タイマ表示は、記録開始までの経過時間表示、あるいは残り時間表示であるものである。
【００１３】
さらに、メニュー項目は、ビデオカメラで撮像された画像を表示する項目と、アニメーションを表示する項目とを備えているものである。
【００１４】
さらに、サブ画面に表示される画像は、メイン画面の一部に表示されるものである。
【００１５】
【発明の実施の形態】
以下、本発明の実施形態を図面により説明する。
図１は本発明によるビデオカメラ付き携帯電話機の一実施形態を示す構成図であって、同図（ａ）は電話機モードでの正面図、同図（ｂ）は電話機モードでの右側面図、同図（ｃ）は閉じた状態での正面図、同図（ｄ）は閉じた状態での左側面図、同図（ｅ）は同図（ｃ）の分断線Ａ−Ａ’に沿う断面図であり、１はこの実施形態のビデオカメラ付き携帯電話機、２は上ケース、３は下ケース、３ａ，３ｂは突出部、４は２軸ヒンジ、５はメイン画面、６は操作部、７はテンキー、８はカーソルキー、９は決定キー、１０は着信用ＬＥＤ（Ｌｉｇｈｔ  Ｅｍｉｔｔｉｎｇ  Ｄｉｏｄｅ）、１１はスピーカ、１２はマイクロホン（以下、マイクと略称する）、１３はサブ画面、１４はスピーカ、１５はカメラレンズ、１６はライト、１７はマイク、１８はカードスロットのキャップ（ドア）、１９はイヤホーンジャックのキャップ（ドア）、２０はカーソルキー、２１は決定キー、２２はズームボタン、２３はモード切替ボタン、２４はマナースイッチ、２５は回転軸、２６は撮影ボタン、２７はビデオカメラ、２８はメイン液晶表示装置、２９はサブ液晶表示装置、３０はメイン基板、３１はイヤホーンジャック、３２はバッテリである。
【００１６】
図１において、この実施形態のビデオカメラ付き携帯電話機１は、筐体を構成する上ケース２と下ケース３とが２軸ヒンジ４によって連結された構成をなしており、下ケース３のほぼ上辺を中心に上ケース２を回動させることができる。この２軸ヒンジ４は、下ケース３の上辺部の両側でこの下ケース３の表面から出っ張るように形成された２つの突出部３ａ，３ｂ間に設けられている。そして、使用しないときには、図１（ｃ），（ｄ）に示すように、上ケース２を下ケース３に重ね、ケースを折り畳んで閉じた状態にするが、電話機として使用するとき（即ち、電話機モード時）には、図１（ｃ），（ｄ）に示す閉じた状態から、上ケース２を上記のように回動させることにより、図１（ａ），（ｂ）に示すように、上ケース２を下ケース３から離してケースが開いた状態にする。このように、閉じた状態から上ケース２を下ケース３のほぼ上辺を中心に上ケース２を回動させてケースを開いた状態では、ビデオカメラ付き携帯電話機１は電話が可能な電話機モードに設定される。
【００１７】
この実施形態では、図１（ａ）に示すように、従来の携帯電話機と同様、上ケース２の表面側に液晶の表示画面、即ち、メイン画面５と通話用のスピーカ１１とが設けられており、また、下ケース３の表面側には、テンキー７やカーソルキー８，決定キー９などからなる操作部６や通話用のマイク１２などが設けられている。また、下ケース３の右側の突出部３ｂには、着信時に点滅するＬＥＤ１０が設けられている。かかる操作部６の操作方法は、従来の携帯電話機と同様である。
【００１８】
上ケース２の反対側の面（裏面）には、図１（ｃ）に示すように、液晶の表示画面、即ち、サブ画面１３と通話用のスピーカ１４とが設けられている。このサブ画面１３は、電話機モードのときには、図６（ａ）に示すように、相手方の着信番号が表示されたり、同図（ｂ）に示すように、メールの着信通知が表示される。
【００１９】
下ケース３の上辺部側には、図１（ｅ）に示すように、ビデオカメラ２７やカメラ用の光学系（図示せず）などが内蔵されており、図１（ｄ）に示すように、下ケース３の左側面の上部にこの左側面に垂直な方向を光軸とするカメラレンズ１５や撮影期間に同方向に発光するライト１６が設けられている。また、この左側面には、撮影時に用いるマイク１７やカードスロットの入口を閉じるキャップ１８，イヤホーンジャック３１（図１（ｅ））を覆うキャップ１９なども設けられている。
【００２０】
なお、ビデオカメラ２７が動作して被写体像を電気信号に変換して出力する動作を、以下、撮像といい、この電気信号による画像を映像という。また、後述するように、撮影ボタン２６の操作によってビデオカメラ２７の撮像映像が静止画（写真）もしくは動画として記憶部に記録されるが、このようにビデオカメラ２７からの映像を記憶部に記録することを、以下、撮影という。即ち、撮影ボタン２６の操作により、静止画もしくは動画の撮影が行なわれることになる。静止画撮影のモードを、以下、静止画撮影モードといい、動画の撮影モードを以下、動画撮影モードという。
【００２１】
図１（ｅ）に示すように、下ケース３の内部には、メイン基板３０などの基板が設けられており、これら基板上にテンキー７などの操作部６の各種キーやマイク１２，１７、イヤホーンジャック３１などが搭載され、また、バッテリ３２が内蔵されている。
【００２２】
また、下ケース３の右側面には、図１（ｂ）に示すように、その上部にカーソルキー２０と決定キー２１とからなる操作キーと撮影ボタン２６とが設けられており、さらに、撮像時にズーム操作を行なうためのズームボタン２２と、動画と静止画との撮影モードを切り替えるためのモード切替ボタン２３と、電話機モードで使用するマナーモードスイッチ２４とが設けられている。なお、カーソルキー２０と決定キー２１とは、後述するが、撮影モードでメイン画面５で表示されるメニューの選択などに用いられる。
【００２３】
図１（ａ），（ｂ）に示す電話機モードの状態では、ビデオカメラ２７（図１（ｅ））による撮像は行なわれず、これら撮影ボタン２６やカーソルキー２０，決定キー２１，ズームボタン２２，モード切替ボタン２３は、操作されても、機能しない。また、メイン画面５では、従来の携帯電話機での表示画面と同様の表示を行なう。
【００２４】
上記のように、上ケース２と下ケース３とは、２軸ヒンジ４によって連結され、上ケース２の１つの回動方向としては、上記のように、下ケース３のほぼ上辺を中心とした回動であるが（この回動軸を水平回動軸という）、もう１つの回動方向は、この水平回動軸に垂直な軸（これを垂直回動軸という）を中心とした回動であり、図１（ｂ）に示す回転軸２５がこの垂直回動軸である。
【００２５】
上ケース２の表面が下ケース３の表面（操作部６などが設けられている面）に対してほぼ垂直になるように上ケース２を回転させると、この実施形態は電話機モードから撮像モードに自動的に切り替わる。なお、モード切替ボタン２３の操作により、電話機モードと撮像モードとの切り替えが行なわれるようにすることもできる。例えば、図１（ｃ）に示すケースが閉じた状態から上ケース２を水平回動軸を中心にほぼ９０゜回動させてケースを開いた状態とし、さらに、上ケース２を垂直回動軸を中心にほぼ９０゜回動させると、自動的に撮像モードとなり、ビデオカメラ２７（図１（ｅ））が撮像を開始する。かかる状態を図２に示す。なお、図２（ａ）は撮影者側から見たものであって、図２（ｂ）は被撮影者などの被写体側から見たものである。
【００２６】
この撮像モードにおいて、ビデオカメラ２７でカメラレンズ１５（図１（ｄ））を介して撮影する場合には、図２（ａ）に示すように、上ケース２のメイン画面５が撮影者（図示せず）側を向いて撮影者側のモニタとなるようにし、図２（ｂ）に示すように、この上ケース２の裏面側のサブ画面１３が被撮影者（被写体）側を向くようにする。また、マイク１７から被写体の音声を取得できる。
【００２７】
このような状態で、ビデオカメラ２７で撮像される被写体の映像はメイン画面５で表示され、これを撮影者がモニタすることができる。また、サブ画面１３では、メイン画面５で表示されるのと同じ被写体自身の撮影映像を表示させることができるし、その他各種の画像を表示させることができる。かかる画像や映像の表示は、後述するように、下ケース３の右側面に設けられたカーソルキー２０と決定キー２１との操作によって選択することができる。このように、下ケース３の裏面側にサブ画面１３を設け、これに各種の映像や画像を選択的に表示することにより、特に被写体が被撮影者である場合、この被撮影者に、撮影しながら、各種の情報を提供することが可能となる。
【００２８】
また、この撮像モードでは、撮影ボタン２６を操作することにより、ビデオカメラ２７で撮像される映像を静止画または動画として内蔵の記憶部に記録する撮影を行なうことができる。この場合の記録映像を静止画にするか、動画にするかはモード切替ボタン２３の操作によって設定される。モード切替ボタン２３の操作によって静止画撮影モードが設定されているときには、撮影ボタン２６を操作することにより、ビデオカメラ２７の撮像映像の１フィールドもしくは１フレームが静止画情報として記憶部に記録され、動画撮影モードが設定されているときには、撮影ボタン２６を操作することにより、ビデオカメラ２７の撮像映像が順次記憶部に記録され、撮影ボタン２６を再度操作することにより、この記録、即ち、撮影が終了する。この動画撮影モードでは、マイク１７からの音声信号も、同時に記憶部に記録することができる。このようにして、静止画もしくは動画の撮影を行なうことができる。
【００２９】
図３は図１及び図２に示す実施形態の回路構成を示すブロック図であって、３３は制御部、３４は無音着信報知器、３５は送受信信号処理部、３６は音声ＣＯＤＥＣ（Ｃｏｄｅｒ−ＤＥＣｏｄｅｒ）、３７は変復調器、３８は無線機、３９はカメラ用入力部、４０は上記の記憶部、４１は時計、４２はカードスロットであり、図１，図２に対応する部分には同一符号をつけている。
【００３０】
同図において、制御部３３は各部の動作を制御するものであって、上記の電話機モードでは、無音着信報知器３４や送受信信号処理部３５，サブ表示部２９、音声ＣＯＤＥＣ３６，メイン表示部２８，変復調器３７，電話用入力部，無線機３８などを作動状態（機能する状態）とし、カメラ用入力部３９や記憶部４０，モード切替ボタン２３，撮影ボタン２６，ビデオカメラ２７，ズームボタン２２，カードスロット４２などを非作動状態（機能しない状態）とする。電話用入力部６は、図１における操作部６やマナーモードスイッチ２４などの通話やメールなどに用いられるものである。
【００３１】
この電話機モードでは、通話したり、メールを送ったりする場合、メイン液晶表示装置２８の表示画面（メイン画面５）を見ながら相手先情報（電話番号やアドレス）を入力することにより、この入力情報が送受信信号処理部３５で処理されて発呼信号が生成され、変復調部３７で変調されて無線機３８から送信される。相手側から応答があって回線がつながると、通話もしくはメールが可能となり、通話の場合には、マイク１２から入力される音声信号が音声ＣＯＤＥＣ３６でエンコードされ、送受信信号処理部３５で処理された後、変復調部３７で変調されて無線機３８から送信されるし、無線機３８で受信された相手側からの通話内容は変復調部３７で復調され、送受信信号処理部３５で処理された後、音声ＣＯＤＥＣ３６でデコードされてスピーカ１１から出力される。
【００３２】
相手側から発呼があった場合には、この発呼信号が無線機３８で受信されて変復調部３７で復調され、送受信信号処理部３５で処理された後、音声ＣＯＤＥＣ３６でデコードされてスピーカ１１から出力されて着信を知らせる。あるいはまた、無音着信報知器３４を動作させ、バイブレーションを発生させて着信を知らせる。また、メールの場合には、電話用入力部６で入力されたメールの内容が送受信信号処理部３５で処理され、変復調部３７で変調された後、無線機３８から送信される。また、無線機３８から受信された相手側からのメールは、図示しないメール用のメモリに記憶されるか、あるいは変復調部３７で復調され、送受信信号処理部３５で処理された後、このメモリに記憶される。そして、ユーザの電話機入力部６の操作による読出し指令があると、メモリに記憶されたメールが読み出され、所定の処理がなされた後、メイン液晶表示装置２８のメイン画面５に表示される。なお、通話の呼出しやメールの着信があった場合には、サブ液晶表示装置２９のサブ図面１３に、図６（ａ），（ｂ）に示すように、相手側の電話番号やメールアドレスが表示される。
【００３３】
撮像モードが設定されたときには、カメラ用入力部３９や記憶部４０，時計４１，モード切替ボタン２３，撮影ボタン２６，ビデオカメラ２７，ズームボタン２２，カードスロット４２などを作動状態とし、無音着信報知器３４や送受信信号処理部３５，サブ表示部２９、音声ＣＯＤＥＣ３６，メイン表示部２８，変復調器３７，電話用入力部，無線機３８などを非作動状態とする。
【００３４】
この撮像モードが設定されると、制御部３３の制御のもとに、直ちにビデオカメラが撮像を開始し、その撮像映像をメイン液晶表示装置２８のメイン画面５に表示させる。また、ズームボタン２２の操作により、ビデオカメラ２７でズーム動作が行なわれ、モード切替ボタン２３の操作により、記録モードが静止画撮影モード，動画撮影モードのいずれかに設定される。撮影ボタン２６が操作されると、そのとき静止画撮影モードであるときには、ビデオカメラ２７の撮像映像の１フィールドもしくは１フレーム分が記憶部４０に記憶され、また、動画撮影モードにあるときには、次に撮影ボタン２６が再び操作されるまでビデオカメラ２７の撮像映像が記憶部４０に記憶されることにより、撮影が行なわれる。
【００３５】
また、この撮像モードでは、ビデオカメラ２７の撮像映像やその他の画像をサブ液晶表示装置２９のサブ画面１３に表示させ、これら映像や画像を被撮影者が見ることができるようにすることができる。このサブ画面１３に表示させる映像や画像は、カメラ用入力部３９のカーソルキー２０や決定キー２１（図２（ａ））を操作することにより、選択することができる。これを図２と図４とにより説明する。
【００３６】
図４（ａ）はメイン画面５の表示内容を示すものであって、同図（ｂ）はサブ画面１３に表示される映像，画像の例を模式的に示すものである。
【００３７】
いま、撮像モードが設定されたとすると、図２（ａ）に示すメイン画面５には、ビデオカメラ２７の撮像映像が表示されるとともに、これに重畳されて図４（ａ）に示す撮影メニュー画面４３が表示される。この撮影メニュー画面４３では、例えば、「サブ表示装置の表示方法」と「サブ表示装置モニタ」との２つの項目（メニュー項目）が選択可能に設けられており、カーソルキー２０を操作して図示しないカーソルを移動させることにより、これら項目のいずれかを選択することができ、しかる後、決定キー２１を操作することにより、選択した項目を選択決定することができる。
【００３８】
「サブ表示装置の表示方法」の項目が選択決定された場合には、表示方法選択画面４４に移り、表示Ａ，Ｂ，Ｃ，Ｄ，……の表示方法が選択可能に設けられている。かかる表示方法としては、図４（ｂ）に示すように、表示Ａがビデオカメラ２７の撮像映像の表示であり、表示Ｂがアニメなどの画像の表示であり、表示Ｃが円周上に配列された丸マークの表示変化（即ち、時間の経過とともに、白丸マークが黒丸マークに変わっていく）で示す被写体の映像の記憶部４０（図３）への記録開始までの経過時間の表示（タイマ表示）であり、表示Ｄが一列に配列された縦長のバーの表示変化（即ち、時間の経過とともに、白バーが黒バーに変わっていく）で示す被写体の映像の記憶部４０（図３）への記録開始までの経過時間の表示（タイマ表示）であり、表示Ｅは被写体の映像の記憶部４０（図３）への記録終了までの残り時間の表示（タイマ表示）である。
【００３９】
そこで、カーソルキー２０と決定キー２１との操作により、表示方法選択画面４４で、例えば、表示Ｄが選択決定されると、次に、サブ画面モニタ設定画面４５が表示され、これには、メイン画面５でサブ画面１３での表示内容をモニタするか否かを決める「ＯＮ」，「ＯＦＦ」の２つの項目が選択可能に設けられている。カーソルキー２０と決定キー２１との操作により、これら項目のいずれかを選択決定すると、撮影ボタン２６の操作とともに、サブ画面１３にこの表示Ｄのタイマ画像が表示され、時計４１（図３）の時間計測により、時間経過に伴って表示Ｄでのバーの表示状態が変化し、時間経過とともに白バーが黒バーに変化していく。そして、全て黒バーとなると、撮影開始時刻となり、ビデオカメラ２７からの被写体の撮像映像が記憶部４０に記録される撮影が開始される。表示Ｃについても同様である。これにより、被写体である被撮影者は、自分の撮影が始まるまでの時間を認識することができ、好みの顔の表現やポーズをとるなどの撮影のための準備などをすることができる。
【００４０】
このとき、メイン画面５では、撮影者が見る撮像映像のモニタ画面４７が表示されているが、このサブ画面モニタ設定画面４５で「ＯＮ」の項目が選択決定された場合には、さらに、このモニタ画面４７の一部、例えば、右上部分に確認部４８が形成されており、これにサブ画面１３に現在表示されている画像（ここでは、表示Ｄ）が表示される。これにより、撮影者は現在サブ画面１３に表示されている画像を確認することができる。このことは、タイマ表示Ｃが選択された場合も同様である。
【００４１】
なお、サブ画面モニタ設定画面４５で「ＯＦＦ」の項目が選択決定された場合には、サブ画面１３には、上記のように、表示Ｄが表示されるが、メイン画面５には、モニタ画面４６のように、確認部４８が表示されない。撮影者がサブ画面１３の内容確認を必要としないときには、このようにすればよい。
【００４２】
また、表示方法選択画面４４で表示Ａまたは表示Ｂを選択決定し、サブ画面モニタ設定画面４５で「ＯＮ」，「ＯＦＦ」のいずれかの項目を選択決定した場合には、その選択決定と同時にサブ画面１３にこの表示Ａまたは表示Ｂが表示される。この場合、「ＯＮ」の項目が選択決定された場合には、確認部４８にかかる表示がなされるモニタ画面４７がメイン画面５に表示される。なお、図２は表示Ａがサブ画面１３に表示され、これをメイン画面５でモニタできる状態を示している。
【００４３】
ここで、表示Ａをサブ画面１３に表示した場合には、被撮影者が現在の自身の状態を知ることができ、撮影に備えることができる。また、表示Ｂをサブ画面１３に表示する場合、これがアニメなどの子供が喜びそうな内容のものとすることにより、被写体を子供としたときのこの子供の笑顔や笑い顔などを撮影することができる。
【００４４】
なお、ここでは、表示方法選択画面４４で１つの表示のみを選択する場合について説明したが、表示Ａ，Ｂのいずれかと表示Ｃ，Ｄのいずれかとを順番に選択決定するようにすることも可能である。このような場合には、例えば、表示Ｂと表示Ｃとが合成されてサブ画面１３に表示され、時間が経過して撮影開始時刻となると、表示Ｂのみの表示となる。
【００４５】
また、動画撮影モードにおいては、撮影ボタン２６（図２）を操作することにより、この撮影が終了するのであるが、撮影ボタン２６が操作されて直ちに終了するのではなく、所定時間（数秒程度）経過して終了する。その間サブ画面１３には、その撮影の残り時間を示す表示Ｅが表示され、残り時間「０秒」となってこの表示Ｅが終わると、撮影が終了したことになる。また、動画撮影モードの最大継続時間が、例えば、１分間などと決められている場合には（勿論、その途中で撮影を終了してもよい）、この動画撮影が終了するときに、表示Ｅをサブ画面１３に自動的に表示させるようにしてもよい。以上の場合、メイン画面５にも、確認部４８として同じ表示Ｅが表示され、撮影者にも、動画撮影の終了を知らせることになる。
【００４６】
このようにして、この実施形態では、撮影するとき、サブ画面１３により、被撮影者に必要な情報を提供することができる。
【００４７】
図５は表示方法選択画面４４で表示Ａ（図４）を選択した場合の以上の動作を示すフローチャートである。
【００４８】
同図において、ビデオカメラ付き携帯電話機１を図２に示す状態にして撮像モードにすると（ステップ１００）、メイン画面５に図４（ａ）に示す撮影メニュー画面４３が表示される（ステップ１０１）。この撮影メニュー画面４３で「サブ表示装置の表示方法」の項目を選択決定すると（ステップ１０２）、図４（ａ）に示す表示方法選択画面４４が表示され、この表示方法選択画面４４で「表示Ａ」の項目を選択決定すると（ステップ１０３）、サブ画面１３（図２（ｂ））に撮像映像である表示Ａ（図４（ｂ））が表示される（ステップ１０４）。このとき、サブ画面モニタ設定画面４５（図４（ａ））で「ＯＮ」の項目を選択決定した場合には、メイン画面５が図４（ａ）に示すような確認部４８に表示Ａが表示されたモニタ画面４７となる。
【００４９】
しかる後、撮影ボタン２６（図２（ａ））を操作すると（ステップ１０５）、撮影が行なわれ、これが動画撮影モードであって、撮影が所定時間経過して残り時間が少なくなると、サブ画面１３とメイン画面５の確認部４８とに表示Ｅが表示されて撮影の残り時間が知らされる（ステップ１０６）。そして、表示Ｅで示される残り時間が０秒となると、撮影が終了する（ステップ１０７）。
【００５０】
なお、以上の説明では、図１（ａ），（ｂ）に示す状態にすることにより、自動的に電話機モードとし、また、図２に示す状態とすることにより、自動的に撮像モードとし、また、モード切替ボタン２３（図２）の操作によって静止画撮影モードと動画撮影モードとの切り替えをするようにしたが、さらに、下ケース３の操作部６（図１（ａ））に設けられたメニューキーを操作することにより、図７に示すように、メイン画面５にメインメニューを表示させ、カーソルキー８と決定キー９との操作により、動画撮影モード，静止画（写真）撮影モード、メール，電話などの各種モードのいずれかを選択設定するようにすることもできる。この場合、撮像モードであっても、下ケース３の操作部６は（あるいはそのうちのメニューキーなどの特定の操作キー）は作動状態にある。
【００５１】
このようにすることにより、一度の操作でもって各モードを設定することができ、操作性が向上するし、また、図１（ａ），（ｂ）に示す状態でも、撮影モードとすることができて、撮影が可能となるし（撮影者や状況によっては、このような状態で撮影した方がよい場合もある）、また、図２に示す状態でも、メイン画面５を若干上向きにするなどして、メールの入力や表示を行なうことができるようになる。
【００５２】
【発明の効果】
以上説明したように、本発明によれば、撮影時に被写体側に向くサブ画面に撮影者が選択した画像を表示させるものであるから、撮影者から被撮影者に必要な情報を提供することができ、被撮影者は撮影中に得たい情報を目で見て取得することができる。
【００５３】
また、サブ画面の一部にサブ画面に表示される画像を表示するものであるから、撮影者は被撮影者に提供している情報の確認をすることができる。
【図面の簡単な説明】
【図１】図１は本発明によるビデオカメラ付き携帯電話機の一実施形態を示す構成図である。
【図２】図１に示す実施形態の撮像モードでの状態を示す図である。
【図３】図１に示す実施形態の回路構成を示すブロック図である。
【図４】図１に示す実施形態の撮影の際のメイン画面の表示例を示す図である。
【図５】図２に示す撮像モードでの撮影の際の動作の一具体例を示すフローチャートである。
【図６】図１におけるサブ画面での通話の呼出しやメール着信時の表示例を示す図である。
【図７】図１におけるメイン画面に表示されるメインメニュー画面の一具体例を示す図である。
【符号の説明】
１  ビデオカメラ付き携帯電話機
２  上ケース
３  下ケース
４  ２軸ヒンジ
５  メイン画面
６  操作部
７  テンキー
８  カーソルキー
９  決定キー
１３  サブ画面
１４  スピーカ
１５  カメラレンズ
１６  ライト
２０  カーソルキー
２１  決定キー
２２  ズームボタン
２３  モード切替ボタン
２６  撮影ボタン
２７  ビデオカメラ
３３  制御部
３９  カメラ用入力部
４０  記憶部
４３  撮影メニュー画面
４４  表示方法選択画面
４５  サブ画面モニタ設定画面
４６，４７  モニタ画面
４８  確認部
【図１】
2004260433.tif 000003
【図２】
2004260433.tif 000004
【図３】
2004260433.tif 000005
【図４】
2004260433.tif 000006
【図５】
2004260433.tif 000007
【図６】
2004260433.tif 000008
【図７】
2004260433.tif 000009